【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
カラーマーキング装置における画質を改善する方法であって、
一連の問題となるスポットカラーを選択するステップと、
前記選択された問題となる色に関する、改善されることが望まれる一連の画質属性を選択するステップと、
前記カラーマーキング装置を用いて前記選択された問題となる色が描写されたときに前記画質属性の関数が最小になるように、カラーマーキング装置の処理アクチュエータ及びカラーレシピに関する設定値を調整するステップと、
前記カラーマーキング装置を用いて前記スポットカラーのうちの少なくとも１つを描写するステップと、
を含み、
前記処理設定値及び前記カラーレシピを調整するステップは、カラーレシピの値及び処理アクチュエータを、画の像色及び前記画質属性に関連づける、色と画質属性のモデルを用いることを含む、方法。
【請求項２】
前記一連の画質属性には、色の不具合と、粒状性、斑点、及び色の安定性のうちの少なくとも一つと、が含まれる、請求項１に記載の方法。
【請求項３】
前記処理設定値には、感光体の電圧、ドナー及び磁気ロールの電圧、定着器の温度、転写電流、トナー密度、媒体、及びハーフトーンのうちのいずれかが含まれる、請求項１に記載の方法。
【請求項４】
前記一連の問題となるスポットカラーを選択するステップは、
問題となる色の各グループ内の各色に関して、異なる処理設定値の組合せのもとで、カラーモデルを用いてその色を作り出す全てのカラーレシピの組合せを選択することと、
前記選択されたカラーレシピの各組合せを、それらに対応する処理設定値と共に、前記処理設定値に対する前記画質属性モデルに通して、前記処置設定値に対する前記画質属性の鋭敏性を判定することと、
判定された各色の鋭敏性に基づいて前記色を順位付けすることと、
それらの順位に基づいて一部の前記色を選択することを含む、請求項１に記載の方法。
【請求項５】
前記問題となる色のグループは、均一に抽出された色域内の一連の色を含む、請求項４に記載の方法。
【請求項６】
前記画質属性の関数は、問題となるｉ番目の色に関する改善すべき画質属性に関する個々のコスト関数の加重和を含む、請求項１に記載の方法。
【請求項７】
前記ｉ番目の色に関する個々のコスト関数は、
2013009369.tif 000001
であり、
2013009369.tif 000002
は前記ｉ番目の色に関して選択される画質属性による各コストに割り当てられる重みを示し、
2013009369.tif 000003
は画質属性に関連するコストを示し、
2013009369.tif 000004
は前記ｉ番目の色を実現するために所望されるコストを示す、請求項６に記載の方法。
【請求項８】
｜｜ＪＴ｜｜を最小化するステップをさらに含み、ＪTは、前記画質属性に対して改善を必要とするＭ色に関する個々のコスト関数
2013009369.tif 000005
を含むベクトルである、請求項７に記載の方法。
【請求項９】
前記問題となるスポットカラーに加えて、前記色域体積全体が縮小しないように、前記カラーマーキング装置の色域の頂点の色を選択するステップをさらに含む、請求項１に記載の方法。
【請求項１０】
カラーマーキング装置上で改善されたスポットカラーの描写を行うフィードバック制御システムであって、
メモリ及び記憶媒体と、
前記記憶媒体及び前記メモリと通信するプロセッサであって、前記プロセッサは方法を行うためのマシン可読命令を実行し、前記方法は、
一連の問題となるスポットカラーを選択するステップと、
前記選択された問題となるスポットカラーに関する、改善されることが望まれる一連の画質属性を選択するステップと、
前記カラーマーキング装置を用いて前記選択された問題となる色が描写されたときに前記画質属性の関数が最小となるように、カラーマーキング装置の処理アクチュエータ及びカラーレシピに関する設定値を調整するステップを含む、プロセッサと、を含み、
前記処理設定値及び前記カラーレシピを調整するステップは、カラーレシピの値及び処理アクチュエータを、画の像色及び前記画質属性に関連づける、色と画質属性のモデルを用いることを含む、フィードバック制御システム。
【請求項１１】
前記一連の画質属性には、色の不具合と、粒状性、斑点、及び色の安定性のうちの少なくとも一つと、が含まれる、請求項１０に記載のフィードバック制御システム。
【請求項１２】
前記処理設定値には、感光体の電圧、ドナー及び磁気ロールの電圧、定着器の温度、転写電流、トナー密度、媒体、及びハーフトーンのうちのいずれかが含まれる、請求項１０に記載のフィードバック制御システム。
【請求項１３】
前記一連の問題となるスポットカラーを選択するステップは、
問題となる色の各グループ内の各色に関して、異なる処理設定値の組合せのもとで、カラーモデルを用いてその色を作り出す全てのカラーレシピの組合せを選択することと、
前記選択されたカラーレシピの各組合せを、それらに対応する処理設定値と共に、前記処理設定値に対する前記画質属性モデルに通して、前記処置設定値に対する前記画質属性の鋭敏性を判定することと、
判定された各色の鋭敏性に基づいて前記色を順位付けすることと、
それらの順位に基づいて一部の前記色を選択することを含む、請求項１０に記載のフィードバック制御システム。
【請求項１４】
前記問題となる色のグループは、均一に抽出された色域内の一連の色を含む、請求項１３に記載のフィードバック制御システム。
【請求項１５】
前記問題となるスポットカラーに加えて、前記色域体積全体が縮小しないように、前記カラーマーキング装置の色域の頂点の色を選択することをさらに含む、請求項１０に記載のフィードバック制御システム。
【請求項１６】
前記画質属性の関数は、前記問題となるスポットカラーに関する改善すべき画質属性の各々に対して決定される個々の関数の加重和を含む、請求項１０に記載のフィードバック制御システム。
【請求項１７】
前記ｉ番目の色に関する個々のコスト関数は、
2013009369.tif 000006
であり、
2013009369.tif 000007
は前記ｉ番目の色に関して選択される画質属性による各コストに割り当てられる重みを示し、
2013009369.tif 000008
は画質属性に関連するコストを示し、
2013009369.tif 000009
は前記ｉ番目の色を実現するために所望されるコストを示す、請求項１６に記載のフィードバック制御システム。
【請求項１８】
｜｜ＪT｜｜を最小化するステップをさらに含み、ＪTは、前記画質属性に対して改善を必要とするＭ色に関する個々のコスト関数
2013009369.tif 000010
を含むベクトルである、請求項１７に記載のフィードバック制御システム。
【請求項１９】
カラーマーキング装置における画質を改善する方法であって、
一連の問題となるスポットカラーを選択するステップと、
前記選択された問題となる色に関する、改善されることが望まれる一連の画質属性を選択するステップと、
前記選択された問題となるカラースポットのカラーレシピ、及び関連の前記カラーマーキング装置の処理設定値を含むベクトルｕを生成するステップと、
画質属性ＪTの関数を最小化するようにベクトルｕを修正するステップと、
前記修正されたベクトルを記憶媒体に記憶するステップ、
を含み、
ベクトルｕの各要素は、Ｌ≦ｕ≦Ｈを満たし、Ｌ及びＨはそれぞれ下限及び上限であり、前記ベクトルｕの修正は、前記カラーマーキング装置のプリンタモデル及び前記カラーマーキング装置から取得した測定値のいずれかに基づく、方法。
【請求項２０】
前記一連の画質属性には、色の不具合と、粒状性、斑点、及び色の安定性のうちの少なくとも一つと、が含まれる、請求項１９に記載の方法。
【請求項２１】
前記処理設定値には、感光体の電圧、ドナー及び磁気ロールの電圧、定着器の温度、転写電流、トナー密度、媒体、及びハーフトーンのうちのいずれかが含まれる、請求項１９に記載の方法。
【請求項２２】
前記関数は、
2013009369.tif 000011
であり、
2013009369.tif 000012
は前記ｉ番目の色に関して選択される画質属性による各コストに割り当てられる重みを示し、
2013009369.tif 000013
は画質属性に関連するコストを示し、
2013009369.tif 000014
は前記ｉ番目の色を実現するために所望されるコストを示す、請求項１９に記載の方法。